(57)【要約】【課題】  チップ船における船首部に突出して設けられるシャトルコンベアルームの船首側突出部に対する風圧抵抗を低減することが可能な船首構造を提供する。【解決手段】  チップ船の船首部のシャトルコンベアルームの突出上縁及び下縁と同レベル位置で、同コンベアルームの突出外縁から船首に向けて所定の傾斜角ないし屈曲率を有して船首先端の所定位置まで覆うシャトルコンベアルーム防風カバーを配置した。【選択図】図１
0003181099.tif 000002
【実用新案登録請求の範囲】
【請求項１】
チップ船の船首部のシャトルコンベアルームの突出上縁及び下縁と同レベル位置で、同コンベアルームの突出外縁から船首に向けて所定の傾斜角ないし屈曲率を有して船首先端の所定位置まで覆うシャトルコンベアルーム防風カバーを配置したことを特徴とするチップ船の船首構造。
【請求項２】
前記シャトルコンベアルーム防風カバーは、上端及び下端が密閉平板状の防風カバーであることを特徴とする請求項１に記載のチップ船の船首構造。
【請求項３】
前記シャトルコンベアルーム防風カバーの上端及び／又は下端が、上端にあっては下方に狭まり、下端にあっては上方に狭まる、縦方向断面が錐形状の防風カバーであることを特徴とする請求項１に記載のチップ船の船首構造。
【考案の詳細な説明】
【技術分野】
【０００１】
本考案は、チップ船における船首構造、詳しくは、チップ船のシャトルコンベアルーム防風カバーに関する。
【背景技術】
【０００２】
チップ船の船首部には、チップを船外へ荷揚げするためにシャトルコンベアルームが設けられており、当該シャトルコンベアルームは船首部において、船外に突出した角張った形状となるため、当該突出部が、風圧抵抗となるという問題があった。また、風圧抵抗が生じるため、船舶の燃費効率の悪化という問題もあった。
【０００３】
チップ船における船首構造を示す従来の例としては、例えば、図３に示されるようなものがある。
図３は、特開平６−２７８６８２号公報に図１として記載される同公報開示の発明に使用する台車とチップ船のハッチ開口との位置関係を説明するためのチップ船の平面図である。図３において、符号１０１は、チップ船、１０２は、ハッチ開口、１０３は、ベルトコンベヤ、１０４，１０５は、台車、１０６は、居住区、１０７は、船首、１１３，１１４は、レールである（なお、符号は、先行技術であることを明らかにするために、本願出願人において、３桁数字に変更して説明した。）。
【０００４】
図３に示されるチップ船は、「船倉内での危険作業をなくすと共に荷役効率を上昇させること」の目的において(同公報要約書「目的」欄参照)、「（イ）チップ船１０１の船倉内１５５の所定箇所において、この船倉内の一部分のチップをかき出し用器具１５４によりかき出す段階と、（ロ）かき出された前記一部分のチップを、真空式空気コンベヤ１１５，１１６を使用して、前記かき出し用器具を取り付けた管路を通って吸い上げる段階と、（ハ）吸い上げた前記一部分のチップを、チップ船の上甲板１０８に設けたベルトコンベヤ１０３に排出し、このベルトコンベヤを経て陸上へ移送する段階と、を包含し、前記船倉内の所定箇所を、前記船倉の上下方向、左右方向及び前後方向に順次適宜に変更して前記（イ）（ロ）（ハ）の段階を繰返すことにより、前記船倉内の全部のチップを陸上へ移送する」ことの構成からなり（同公報要約書「構成」欄参照）、「チップ船の船倉内に人が入る必要がなくなり、危険な作業を除去することができると共に荷役効率を充分に向上させることができる」という効果を有するものである(同公報明細書段落番号００１６参照）。
【０００５】
図３に示されるチップ船の平面図から明らかなように、チップ船の船首部には、前記コンベア１０３からチップを船外へ荷揚げするためシャトルコンベアルームが船首船側に角張って突出されている。
図２は、従来のチップ船において、前記シャトルコンベアルームが船首船側に角張って突出されている概略を示すチップ船の船首概略を示す斜視図である。図２において、１２０は、シャトルコンベアルーム、１２１は、デッキクレーン、１２３は、ホッパー、１２４は、碇、１０１は、前記チップ船、１０２は、前記ハッチ、１０７は、前記船首である。
【０００６】
図２から明らかなとおり、前記シャトルコンベアルーム１２０は、船体船首部または船尾部に設けられ、船荷チップを船外に荷揚げするコンベア(図示外)が配置される。したがって、船体接岸に際し、陸上側に突出して開口されている。このため、船首部では、船首側に角張った突出部が生じ、船舶の航行中に船首方向からの風が該突出部の前面に衝突し、風圧抵抗が生じるという問題がある。
【先行技術文献】
【特許文献】
【０００７】
【特許文献１】特開平６−２７８６８２号公報
【考案の概要】
【考案が解決しようとする課題】
【０００８】
本考案は、チップ船における船首部に突出して設けられるシャトルコンベアルームの船首側突出部に対する風圧抵抗を低減することが可能な船首構造を提供することを目的とする。
【課題を解決するための手段】
【０００９】
本願請求項１に係る発明は、チップ船の船首構造において、チップ船の船首部のシャトルコンベアルームの突出上縁及び下縁と同レベル位置で、同コンベアルームの突出外縁から船首に向けて所定の傾斜角ないし屈曲率を有して船首先端の所定位置まで覆うシャトルコンベアルーム防風カバーを配置したことを特徴とする。
本願請求項２に係る発明は、前記請求項１に係るチップ船の船首構造において、前記シャトルコンベアルーム防風カバーは、上端及び下端が密閉平板状の防風カバーであることを特徴とする。
本願請求項３に係る発明は、前記請求項１に係るチップ船の船首構造において、前記シャトルコンベアルーム防風カバーの上端及び／又は下端が、上端にあっては下方に狭まり、下端にあっては上方に狭まる、縦方向断面が錐形状の防風カバーであることを特徴とする。
【考案の効果】
【００１０】
本考案は、上述のとおり構成されているので、次に記載する効果を奏する。
チップ船のシャトルコンベアルームの船首側に防風カバーを設けることにより、シャトルコンベアルームの突出部への風の流れが滑らかになり、シャトルコンベアムールの突出部での風圧抵抗を低減することが可能となった。また、風圧抵抗が低減されるため、船舶の燃費効率の向上という効果も有する。
【図面の簡単な説明】
【００１１】
【図１】図１は、本考案に係るチップ船の船首構造を実施するための実施例１に係るチップ船のシャトルコンベアルーム防風カバー１の左舷側配置概略を示す図である。
【図２】図２は、従来のチップ船において、前記シャトルコンベアルームが船首船側に角張って突出されている概略を示すチップ船の船首概略を示す斜視図である。
【図３】図３は、特開平６−２７８６８２号公報に図１として記載される同公報開示の発明に使用する台車とチップ船のハッチ開口との位置関係を説明するためのチップ船の平面図である。
【考案を実施するための形態】
【００１２】
本考案に係るチップ船の船首構造を実施するための形態として一実施例を示す図面に基づき詳細に説明する。
【実施例１】
【００１３】
図１は、本考案に係るチップ船の船首構造を実施するための実施例１に係るチップ船のシャトルコンベアルーム防風カバー１の左舷側配置概略を示す図であり、図１において、符号１は、シャトルコンベアルーム防風カバーであり、その余の図２、図３に示した符号と同一の符号は図２、図３で説明した同一の部材である。
【００１４】
図１に示すように、本実施例１に係るチップ船のシャトルコンベアルーム防風カバー１は、チップ船のシャトルコンベアルーム１２０の船首側突出の外縁から船首に向けて所定の傾斜ないし屈曲を有して船首先端の所定位置まで覆うカバーである。さらには、同カバー１は、図１に示すように、前記シャトルコンベアルーム１２０の突出上端から突出下端までの高さと同じ高さを有し、同シャトルコンベアルーム１２０の船側外縁から船首に向けて所定の傾斜角ないしは屈曲率を有して、例えば、図１に示される前記碇１２４近傍までを覆うようにして配置される。
【００１５】
そして、当該シャトルコンベアルーム防風カバー１の上部は前記シャトルコンベアルーム１２０の突出上縁と同レベル位置から前記所定の傾斜角ないしは屈曲率で前記碇１２４近傍まで覆う船首の当該部の形状の添った細長四半円状を呈し、下部は前記シャトルコンベアルーム１２０の突出下縁と同レベル位置までの同形状の密閉状とする。ただし、下部は、開放のままでも構わない。
また、本実施例１に係るシャトルコンベアルーム防風カバー１は、上端及び下端は密閉平板状としたが、これは、上端にあっては下方に狭まり、下端にあっては上方に狭まる、いわゆる縦方向又は高さ方向断面が錐形状の防風カバーであっても良い。
【００１６】
なお、図１は、チップ船の左舷側概略を示しているが、当該構造は、右舷側も同様の構造である。
このように、チップ船の船首部のシャトルコンベアルーム船首側突出部に対して、風圧を無くすため、シャトルコンベアルームの突出部の船首側前部にカバーを設ける構造としたので、当該突出部の風の流れが滑らかになり、シャトルコンベアムールの突出部での風圧抵抗を低減することができる。また、風圧抵抗が低減されるため、船舶の燃費効率がの向上する。
【産業上の利用可能性】
【００１７】
本考案は、チップ船における船首構造、詳しくは、チップ船のシャトルコンベアルーム防風カバーに利用される。
【符号の説明】
【００１８】
１ シャトルコンベアルーム防風カバー
１０１ チップ船
１０２ ハッチ
１０３ ベルトコンベヤ
１０４，１０５ 台車
１０６ 居住区
１０７ 船首
１０８ 上甲板
１１３，１１４ レール
１１５，１１６ 真空式空気コンベヤ
１２０ シャトルコンベアルーム
１２１ デッキクレーン
１２３ ホッパー
１２４ 碇
【図１】
0003181099.tif 000003
【図２】
0003181099.tif 000004
【図３】
0003181099.tif 000005